(57)【要約】【課題】  使用者が意図して行っているジェスチャを識別して指示入力をおこなう状況通信装置及び状況通信プログラムを提供する。【解決手段】  圧力が検出され（Ｓ４１：ＹＥＳ）、光が検出されておらず（Ｓ４２：ＮＯ）、温度センサにより検出された温度が３０度〜３８度であれば（Ｓ４３：ＹＥＳ）、人に握られていると判断されて、振るジェスチャの回数検出処理が行われ、ジェスチャ回数が記憶される（Ｓ４４）。そして、通信対象データベースに記憶されている値の回数を指定回数とするＩＤコードが登録されているか否かの検索が行われ（Ｓ４５）、登録されていれば（Ｓ４６：ＹＥＳ）、そのＩＤコードが通信対象に指定され（Ｓ４７）、指定されたＩＤコードの状況通信装置１との通信処理が開始される（Ｓ４８）。このように人に握られている場合にのみ、ジェスチャの判断が行われて、ジェスチャが検出された場合にのみ通信対象が指定される。【選択図】  図７
2006238237.tif 000002
【特許請求の範囲】
【請求項１】
使用者の生体情報または当該状況通信装置の状態を計測する１つまたは複数の計測手段と、使用者の状況を表現する１つまたは複数の状況表現手段と、前記計測手段により計測された計測情報または前記計測情報に基づく情報を送信する送信手段と、前記計測情報または前記計測情報に基づく情報を受信する受信手段と、前記受信手段が受信した前記計測情報または前記計測情報に基づく情報に応じて前記状況表現手段を制御する状況表現制御手段とを備えた状況通信装置であって、
前記計測手段による計測情報と、当該状況通信装置に対する操作指示とを対応させた指示決定手順を記憶する指示決定手順記憶手段と、
当該指示決定手順記憶手段に記憶されている前記指示決定手順に基づいて、前記計測情報から当該状況通信装置への指示を判断する指示判断手段と、
当該指示判断手段により判断された指示に基づいて、当該状況通信装置を制御する動作制御手段と、
前記計測手段による計測情報に基づいて当該状況通信装置が人に握られているか否かを判断する握判断手段とを備え、
前記握判断手段により人に握られていると判断された場合にのみ前記指示判断手段による判断を行うことを特徴とする状況通信装置。
【請求項２】
前記指示決定手順記憶手段に記憶されている前記指示決定手順における前記操作指示のうちの少なくとも１つは、前記送信手段により送信を行う通信対象装置として特定の外部の装置を指定する通信対象装置特定指示であり、
前記動作制御手段は前記特定の外部の装置を通信対象装置として指定することを特徴とする請求項１に記載の状況通信装置。
【請求項３】
前記指示決定手順記憶手段に記憶されている前記指示決定手順における前記操作指示のうちの少なくとも１つは、前記通信対象装置特定指示を受け付ける通信対象指定モードへ移行させる通信対象指定モード移行指示であり、
前記動作制御手段は前記通信対象指定モードへ移行させることを特徴とする請求項２に記載の状況通信装置。
【請求項４】
前記計測手段は、当該状況通信装置の表面の歪みを計測する歪みセンサ、当該状況通信装置に外部から加えられた加速度を計測する加速度センサ、当該状況通信装置に外部から加えられた衝撃を計測する衝撃センサ、当該状況通信装置の表面に触れているものの温度を計測する温度センサ、当該状況通信装置に触れているものの基準時間内の接触部分の変化を計測することにより触れているものの脈拍数を計測する心拍センサ、当該状況通信装置の周囲の光の強さを計測する光センサ、当該状況通信装置の表面に対する圧力の大きさを計測する感圧センサ、当該状況通信装置の周囲の水分量を計測することにより湿度を計測する湿度センサ、当該状況通信装置の表面の水分量を計測することにより当該状況通信装置に触れているものの発汗量を計測する発汗センサ、及び、当該状況通信装置の周囲の音声を入力するマイクのうちの少なくとも２つであり、
前記握判断手段では、当該状況通信装置に実装された前記計測手段のうちの少なくとも２つの計測情報に基づいて判断を行うことを特徴とする請求項１乃至３のいずれかに記載の状況通信装置。
【請求項５】
前記指示決定手順記憶手段に記憶されている当該状況通信装置に対する操作指示に対応された前記計測手段による計測情報は、少なくとも、当該状況通信装置が所定回数振られたと判断できる前記加速度センサの計測情報、当該状況通信装置が所定回数傾けられた判断できる前記加速度センサの計測情報、又は、当該状況通信装置に所定回数衝撃が加えられたと判断できる前記衝撃センサの計測情報のうちの１つであることを特徴とする請求項４に記載の状況通信装置。
【請求項６】
前記加速度センサの計測情報により当該状況通信装置が振られたと判断された回数、前記加速度センサの計測情報により当該状況通信装置が傾けられたと判断された回数、又は、前記衝撃センサの計測情報により当該状況通信装置に衝撃が加えられた回数を表示する回数表示手段を備えたことを特徴とする請求項５に記載の状況通信装置。
【請求項７】
使用者の生体情報または当該状況通信装置の状態を計測する１つまたは複数の計測手段と、使用者の状況を表現する１つまたは複数の状況表現手段とを備えた状況通信装置に対し、前記計測手段により計測された計測情報または前記計測情報に基づく情報を送信する送信ステップと、前記計測情報または前記計測情報に基づく情報を受信する受信ステップと、前記受信ステップが受信した前記計測情報または前記計測情報に基づく情報に応じて前記状況表現手段を制御する状況表現制御ステップとを動作させる状況通信プログラムであって、
前記計測手段による計測情報と、当該状況通信装置に対する操作指示とを対応させた指示決定手順を記憶する指示決定手順記憶手段に記憶されている前記指示決定手順に基づいて、前記計測情報から当該状況通信装置への指示を判断する指示判断ステップと、
当該指示判断ステップにより判断された指示に基づいて、当該状況通信装置を制御する動作制御ステップと、
前記計測手段による計測情報に基づいて当該状況通信装置が人に握られているか否かを判断する握判断ステップとを備え、
前記握判断ステップにより人に握られていると判断された場合にのみ前記指示判断ステップによる判断を行うことを特徴とする状況通信プログラム。
【請求項８】
前記指示決定手順記憶手段に記憶されている前記指示決定手順における前記操作指示のうちの少なくとも１つは、前記送信手段により送信を行う通信対象装置として特定の外部の装置を指定する通信対象装置特定指示であり、
前記動作制御ステップは前記特定の外部の装置を通信対象装置として指定することを特徴とする請求項７に記載の状況通信プログラム。
【請求項９】
前記指示決定手順記憶手段に記憶されている前記指示決定手順における前記操作指示のうちの少なくとも１つは、前記通信対象装置特定指示を受け付ける通信対象指定モードへ移行させる通信対象指定モード移行指示であり、
前記動作制御ステップは前記通信対象指定モードへ移行させることを特徴とする請求項８に記載の状況通信プログラム。
【請求項１０】
前記計測手段は、当該状況通信装置の表面の歪みを計測する歪みセンサ、当該状況通信装置に外部から加えられた加速度を計測する加速度センサ、当該状況通信装置に外部から加えられた衝撃を計測する衝撃センサ、当該状況通信装置の表面に触れているものの温度を計測する温度センサ、当該状況通信装置に触れているものの基準時間内の接触部分の変化を計測することにより触れているものの脈拍数を計測する心拍センサ、当該状況通信装置の周囲の光の強さを計測する光センサ、当該状況通信装置の表面に対する圧力の大きさを計測する感圧センサ、当該状況通信装置の周囲の水分量を計測することにより湿度を計測する湿度センサ、当該状況通信装置の表面の水分量を計測することにより当該状況通信装置に触れているものの発汗量を計測する発汗センサ、及び、当該状況通信装置の周囲の音声を入力するマイクのうちの少なくとも２つであり、
前記握判断ステップでは、当該状況通信装置に実装された前記計測手段のうちの少なくとも２つの計測情報に基づいて判断を行うことを特徴とする請求項７乃至９のいずれかに記載の状況通信プログラム。
【請求項１１】
前記指示決定手順記憶手段に記憶されている当該状況通信装置に対する操作指示に対応された前記計測手段による計測情報は、少なくとも、当該状況通信装置が所定回数振られたと判断できる前記加速度センサの計測情報、当該状況通信装置が所定回数傾けられた判断できる前記加速度センサの計測情報、又は、当該状況通信装置に所定回数衝撃が加えられたと判断できる前記衝撃センサの計測情報のうちの１つであることを特徴とする請求項１０に記載の状況通信プログラム。
【請求項１２】
前記加速度センサの計測情報により当該状況通信装置が振られたと判断された回数、前記加速度センサの計測情報により当該状況通信装置が傾けられたと判断された回数、又は、前記衝撃センサの計測情報により当該状況通信装置に衝撃が加えられた回数を表示する回数表示手段に前記回数を表示させる表示制御ステップを備えたことを特徴とする請求項１１に記載の状況通信プログラム。
【発明の詳細な説明】
【技術分野】
【０００１】
本発明は、状況通信装置及び状況通信プログラムに関するものであり、詳細には、使用者のジェスチャにより指示入力をおこなう状況通信装置及び状況通信プログラムに関するものである。
【背景技術】
【０００２】
従来、キーやボタンによる入力でなく、端末の振動の強さ、加速度の変化、又は、加速度の生じる方向及び変化などに応じて所定の制御を実行するように、端末の状態の変化により端末への入力を行うような携帯電話等の端末が提案されている（例えば、特許文献１参照）。特許文献１に記載の発明の端末装置では、特定のキーが押下されたり、「強い揺れ」が検出されたりした場合に発信のためのモードへ移行され、所定時間内に端末が振られた回数を計数し、その回数に対応して記憶されている電話番号へ発呼している。
【特許文献１】特開２００２−３３０２１０号公報
【発明の開示】
【発明が解決しようとする課題】
【０００３】
しかしながら、「強い揺れ」の検出により発信のためのモードへ移行し、その後の振られた回数により発呼を行うというように、使用者のジェスチャによる入力を行う場合には、その揺れが使用者の意図して行った揺れでない場合がある。例えば、かばんに携帯電話を入れて持ち運んでいる際に、かばんが揺れ、携帯電話も揺れて意図せずに発呼を行ってしまうことがあるという問題点がある。
【０００４】
本発明は、上述の問題点を解決するためになされたものであり、使用者が意図して行っているジェスチャを識別して指示入力をおこなう状況通信装置及び状況通信プログラムを提供することを目的とする。
【課題を解決するための手段】
【０００５】
上記課題を解決するため、請求項１に係る発明の状況通信装置では、使用者の生体情報または当該状況通信装置の状態を計測する１つまたは複数の計測手段と、使用者の状況を表現する１つまたは複数の状況表現手段と、前記計測手段により計測された計測情報または前記計測情報に基づく情報を送信する送信手段と、前記計測情報または前記計測情報に基づく情報を受信する受信手段と、前記受信手段が受信した前記計測情報または前記計測情報に基づく情報に応じて前記状況表現手段を制御する状況表現制御手段とを備えた状況通信装置であって、前記計測手段による計測情報と、当該状況通信装置に対する操作指示とを対応させた指示決定手順を記憶する指示決定手順記憶手段と、当該指示決定手順記憶手段に記憶されている前記指示決定手順に基づいて、前記計測情報から当該状況通信装置への指示を判断する指示判断手段と、当該指示判断手段により判断された指示に基づいて、当該状況通信装置を制御する動作制御手段と、前記計測手段による計測情報に基づいて当該状況通信装置が人に握られているか否かを判断する握判断手段とを備え、前記握判断手段により人に握られていると判断された場合にのみ前記指示判断手段による判断を行うことを特徴とする構成となっている。
【０００６】
また、請求項２に係る発明の状況通信装置では、請求項１に記載の発明の構成に加えて、前記指示決定手順記憶手段に記憶されている前記指示決定手順における前記操作指示のうちの少なくとも１つは、前記送信手段により送信を行う通信対象装置として特定の外部の装置を指定する通信対象装置特定指示であり、前記動作制御手段は前記特定の外部の装置を通信対象装置として指定することを特徴とする構成となっている。
【０００７】
また、請求項３に係る発明の状況通信装置では、請求項２に記載の発明の構成に加えて、前記指示決定手順記憶手段に記憶されている前記指示決定手順における前記操作指示のうちの少なくとも１つは、前記通信対象装置特定指示を受け付ける通信対象指定モードへ移行させる通信対象指定モード移行指示であり、前記動作制御手段は前記通信対象指定モードへ移行させることを特徴とする構成となっている。
【０００８】
また、請求項４に係る発明の状況通信装置では、請求項１乃至３のいずれかに記載の発明の構成に加えて、前記計測手段は、当該状況通信装置の表面の歪みを計測する歪みセンサ、当該状況通信装置に外部から加えられた加速度を計測する加速度センサ、当該状況通信装置に外部から加えられた衝撃を計測する衝撃センサ、当該状況通信装置の表面に触れているものの温度を計測する温度センサ、当該状況通信装置に触れているものの基準時間内の接触部分の変化を計測することにより触れているものの脈拍数を計測する心拍センサ、当該状況通信装置の周囲の光の強さを計測する光センサ、当該状況通信装置の表面に対する圧力の大きさを計測する感圧センサ、当該状況通信装置の周囲の水分量を計測することにより湿度を計測する湿度センサ、当該状況通信装置の表面の水分量を計測することにより当該状況通信装置に触れているものの発汗量を計測する発汗センサ、及び、当該状況通信装置の周囲の音声を入力するマイクのうちの少なくとも２つであり、前記握判断手段では、当該状況通信装置に実装された前記計測手段のうちの少なくとも２つの計測情報に基づいて判断を行うことを特徴とする構成となっている。
【０００９】
また、請求項５に係る発明の状況通信装置では、請求項４に記載の発明の構成に加えて、前記指示決定手順記憶手段に記憶されている当該状況通信装置に対する操作指示に対応された前記計測手段による計測情報は、少なくとも、当該状況通信装置が所定回数振られたと判断できる前記加速度センサの計測情報、当該状況通信装置が所定回数傾けられた判断できる前記加速度センサの計測情報、又は、当該状況通信装置に所定回数衝撃が加えられたと判断できる前記衝撃センサの計測情報のうちの１つであることを特徴とする構成となっている。
【００１０】
また、請求項６に係る発明の状況通信装置では、請求項５に記載の発明の構成に加えて、前記加速度センサの計測情報により当該状況通信装置が振られたと判断された回数、前記加速度センサの計測情報により当該状況通信装置が傾けられたと判断された回数、又は、前記衝撃センサの計測情報により当該状況通信装置に衝撃が加えられた回数を表示する回数表示手段を備えたことを特徴とする構成となっている。
【００１１】
また、請求項７に係る発明の状況通信プログラムでは、使用者の生体情報または当該状況通信装置の状態を計測する１つまたは複数の計測手段と、使用者の状況を表現する１つまたは複数の状況表現手段とを備えた状況通信装置に対し、前記計測手段により計測された計測情報または前記計測情報に基づく情報を送信する送信ステップと、前記計測情報または前記計測情報に基づく情報を受信する受信ステップと、前記受信ステップが受信した前記計測情報または前記計測情報に基づく情報に応じて前記状況表現手段を制御する状況表現制御ステップとを動作させる状況通信プログラムであって、前記計測手段による計測情報と、当該状況通信装置に対する操作指示とを対応させた指示決定手順を記憶する指示決定手順記憶手段に記憶されている前記指示決定手順に基づいて、前記計測情報から当該状況通信装置への指示を判断する指示判断ステップと、当該指示判断ステップにより判断された指示に基づいて、当該状況通信装置を制御する動作制御ステップと、前記計測手段による計測情報に基づいて当該状況通信装置が人に握られているか否かを判断する握判断ステップとを備え、前記握判断ステップにより人に握られていると判断された場合にのみ前記指示判断ステップによる判断を行うことを特徴とする構成となっている。
【００１２】
また、請求項８に係る発明の状況通信プログラムでは、請求項７に記載の発明の構成に加えて、前記指示決定手順記憶手段に記憶されている前記指示決定手順における前記操作指示のうちの少なくとも１つは、前記送信手段により送信を行う通信対象装置として特定の外部の装置を指定する通信対象装置特定指示であり、前記動作制御ステップは前記特定の外部の装置を通信対象装置として指定することを特徴とする構成となっている。
【００１３】
また、請求項９に係る発明の状況通信プログラムでは、請求項８に記載の発明の構成に加えて、前記指示決定手順記憶手段に記憶されている前記指示決定手順における前記操作指示のうちの少なくとも１つは、前記通信対象装置特定指示を受け付ける通信対象指定モードへ移行させる通信対象指定モード移行指示であり、前記動作制御ステップは前記通信対象指定モードへ移行させることを特徴とする構成となっている。
【００１４】
また、請求項１０に係る発明の状況通信プログラムでは、請求項７乃至９のいずれかに記載の発明の構成に加えて、前記計測手段は、当該状況通信装置の表面の歪みを計測する歪みセンサ、当該状況通信装置に外部から加えられた加速度を計測する加速度センサ、当該状況通信装置に外部から加えられた衝撃を計測する衝撃センサ、当該状況通信装置の表面に触れているものの温度を計測する温度センサ、当該状況通信装置に触れているものの基準時間内の接触部分の変化を計測することにより触れているものの脈拍数を計測する心拍センサ、当該状況通信装置の周囲の光の強さを計測する光センサ、当該状況通信装置の表面に対する圧力の大きさを計測する感圧センサ、当該状況通信装置の周囲の水分量を計測することにより湿度を計測する湿度センサ、当該状況通信装置の表面の水分量を計測することにより当該状況通信装置に触れているものの発汗量を計測する発汗センサ、及び、当該状況通信装置の周囲の音声を入力するマイクのうちの少なくとも２つであり、前記握判断ステップでは、当該状況通信装置に実装された前記計測手段のうちの少なくとも２つの計測情報に基づいて判断を行うことを特徴とする構成となっている。
【００１５】
また、請求項１１に係る発明の状況通信プログラムでは、請求項１０に記載の発明の構成に加えて、前記指示決定手順記憶手段に記憶されている当該状況通信装置に対する操作指示に対応された前記計測手段による計測情報は、少なくとも、当該状況通信装置が所定回数振られたと判断できる前記加速度センサの計測情報、当該状況通信装置が所定回数傾けられた判断できる前記加速度センサの計測情報、又は、当該状況通信装置に所定回数衝撃が加えられたと判断できる前記衝撃センサの計測情報のうちの１つであることを特徴とする構成となっている。
【００１６】
また、請求項１２に係る発明の状況通信プログラムでは、請求項１１に記載の発明の構成に加えて、前記加速度センサの計測情報により当該状況通信装置が振られたと判断された回数、前記加速度センサの計測情報により当該状況通信装置が傾けられたと判断された回数、又は、前記衝撃センサの計測情報により当該状況通信装置に衝撃が加えられた回数を表示する回数表示手段に前記回数を表示させる表示制御ステップを備えたことを特徴とする構成となっている。
【発明の効果】
【００１７】
請求項１に係る発明の状況通信装置では、指示決定手順記憶手段は、計測手段による計測情報と、状況通信装置に対する操作指示とを対応させた指示決定手順を記憶し、指示判断手段は、指示決定手順記憶手段に記憶されている指示決定手順に基づいて、計測情報から状況通信装置への指示を判断し、動作制御手段は、指示判断手段により判断された指示に基づいて、状況通信装置を制御し、握判断手段は、計測手段による計測情報に基づいて状況通信装置が人に握られているか否かを判断することができる。また、握判断手段により人に握られていると判断された場合にのみ指示判断手段による判断を行うことができる。したがって、人により握られていると判断された場合にのみ、状況通信装置に対する操作指示と解されるので、人が意図していない場合の指示決定手順と同様の計測情報を操作指示として判断してしまうことがない。よって、誤操作を回避することができる。
【００１８】
また、請求項２に係る発明の状況通信装置では、請求項１に記載の発明の効果に加えて、指示決定手順記憶手段に記憶されている指示決定手順における操作指示のうちの少なくとも１つは、送信手段により送信を行う通信対象装置として特定の外部の装置を指定する通信対象装置特定指示であり、動作制御手段は特定の外部の装置を通信対象装置として指定することができる。したがって、人に握られている場合にのみ通信対象装置を指定することができるので、意図せずに通信対象装置が指定されてしまっており、意図しない相手と通信してしまうような誤操作を回避することができる。
【００１９】
また、請求項３に係る発明の状況通信装置では、請求項２に記載の発明の効果に加えて、指示決定手順記憶手段に記憶されている指示決定手順における操作指示のうちの少なくとも１つは、通信対象装置特定指示を受け付ける通信対象指定モードへ移行させる通信対象指定モード移行指示であり、動作制御手段は通信対象指定モードへ移行させることができる。したがって、人に握られている場合にのみ通信対象指定モードへ移行されるので、意図せずに通信対象モードへ移行されてしまうような誤操作を回避することができる。
【００２０】
また、請求項４に係る発明の状況通信装置では、請求項１乃至３のいずれかに記載の発明の効果に加えて、計測手段は、状況通信装置の表面の歪みを計測する歪みセンサ、状況通信装置に外部から加えられた加速度を計測する加速度センサ、状況通信装置に外部から加えられた衝撃を計測する衝撃センサ、状況通信装置の表面に触れているものの温度を計測する温度センサ、状況通信装置に触れているものの基準時間内の接触部分の変化を計測することにより触れているものの脈拍数を計測する心拍センサ、状況通信装置の周囲の光の強さを計測する光センサ、状況通信装置の表面に対する圧力の大きさを計測する感圧センサ、状況通信装置の周囲の水分量を計測することにより湿度を計測する湿度センサ、状況通信装置の表面の水分量を計測することにより状況通信装置に触れているものの発汗量を計測する発汗センサ、及び、状況通信装置の周囲の音声を入力するマイクのうちの少なくとも２つとし、握判断手段では、状況通信装置に実装された計測手段のうちの少なくとも２つの計測情報に基づいて判断を行ことができる。したがって、状況通信装置の状況表現手段に出力するための計測情報を取得する計測手段を用いて、人が握っているか否かの判断をすることができるので、新たに計測手段を設ける必要がない。
【００２１】
また、請求項５に係る発明の状況通信装置では、請求項４に記載の発明の効果に加えて、指示決定手順記憶手段に記憶されている状況通信装置に対する操作指示に対応された計測手段による計測情報は、少なくとも、状況通信装置が所定回数振られたと判断できる加速度センサの計測情報、状況通信装置が所定回数傾けられた判断できる加速度センサの計測情報、又は、状況通信装置に所定回数衝撃が加えられたと判断できる衝撃センサの計測情報のうちの１つとすることができる。したがって、振る、傾ける、衝撃を与えるといった簡単な動作（ジェスチャ）で操作指示を与えることができる。
【００２２】
また、請求項６に係る発明の状況通信装置では、請求項５に記載の発明の効果に加えて、回数表示手段は、加速度センサの計測情報により状況通信装置が振られたと判断された回数、加速度センサの計測情報により状況通信装置が傾けられたと判断された回数、又は、衝撃センサの計測情報により状況通信装置に衝撃が加えられた回数を表示することができる。したがって、振ったり、傾けたり、衝撃を与えたりといった動作（ジェスチャ）を行った回数を操作者が認識できるので正確な動作（ジェスチャ）を行い、正確な指示を与えることができる。
【００２３】
また、請求項７に係る発明の状況通信プログラムでは、コンピュータに、計測手段による計測情報と、状況通信装置に対する操作指示とを対応させた指示決定手順を記憶する指示決定手順記憶手段に記憶されている指示決定手順に基づいて、計測情報から状況通信装置への指示を判断する指示判断ステップと、指示判断ステップにより判断された指示に基づいて、状況通信装置を制御する動作制御ステップと、計測手段による計測情報に基づいて状況通信装置が人に握られているか否かを判断する握判断ステップとを実行させることができ、握判断ステップにより人に握られていると判断された場合にのみ指示判断ステップによる判断を実行させることができる。したがって、状況通信装置が人により握られていると判断された場合にのみ、状況通信装置に対する操作指示と解すので、人が意図していない場合の指示決定手順と同様の計測情報を操作指示として判断してしまうことがない。よって、誤操作を回避することができる。
【００２４】
また、請求項８に係る発明の状況通信プログラムでは、請求項７に記載の発明の効果に加えて、指示決定手順記憶手段に記憶されている指示決定手順における操作指示のうちの少なくとも１つは、送信手段により送信を行う通信対象装置として特定の外部の装置を指定する通信対象装置特定指示であり、コンピュータに特定の外部の装置を通信対象装置として指定する動作制御ステップを実行させることができる。したがって、人に握られている場合にのみ通信対象装置を指定するので、意図せずに通信対象装置が指定されてしまっており、意図しない相手と通信してしまうような誤操作を回避することができる。
【００２５】
また、請求項９に係る発明の状況通信プログラムでは、請求項８に記載の発明の効果に加えて、指示決定手順記憶手段に記憶されている指示決定手順における操作指示のうちの少なくとも１つは、通信対象装置特定指示を受け付ける通信対象指定モードへ移行させる通信対象指定モード移行指示であり、コンピュータに通信対象指定モードへ移行させる動作制御ステップを実行させることができる。したがって、人に握られている場合にのみ通信対象指定モードへ移行させるので、意図せずに通信対象モードへ移行してしまうような誤操作を回避することができる。
【００２６】
また、請求項１０に係る発明の状況通信プログラムでは、請求項７乃至９のいずれかに記載の発明の効果に加えて、計測手段は、状況通信装置の表面の歪みを計測する歪みセンサ、状況通信装置に外部から加えられた加速度を計測する加速度センサ、状況通信装置に外部から加えられた衝撃を計測する衝撃センサ、状況通信装置の表面に触れているものの温度を計測する温度センサ、状況通信装置に触れているものの基準時間内の接触部分の変化を計測することにより触れているものの脈拍数を計測する心拍センサ、状況通信装置の周囲の光の強さを計測する光センサ、状況通信装置の表面に対する圧力の大きさを計測する感圧センサ、状況通信装置の周囲の水分量を計測することにより湿度を計測する湿度センサ、状況通信装置の表面の水分量を計測することにより状況通信装置に触れているものの発汗量を計測する発汗センサ、及び、状況通信装置の周囲の音声を入力するマイクのうちの少なくとも２つであり、握判断ステップでは、状況通信装置に実装された計測手段のうちの少なくとも２つの計測情報に基づいて判断を実行させることができる。したがって、状況通信装置の状況表現手段に出力するための計測情報を取得する計測手段を用いて、人が握っているか否かの判断をすることができるので、新たに計測手段を設ける必要がない。
【００２７】
また、請求項１１に係る発明の状況通信プログラムでは、請求項１０に記載の発明の効果に加えて、指示決定手順記憶手段に記憶されている状況通信装置に対する操作指示に対応された計測手段による計測情報は、少なくとも、状況通信装置が所定回数振られたと判断できる加速度センサの計測情報、状況通信装置が所定回数傾けられた判断できる加速度センサの計測情報、又は、状況通信装置に所定回数衝撃が加えられたと判断できる衝撃センサの計測情報のうちの１つとすることができる。したがって、振る、傾ける、衝撃を与えるといった簡単な動作（ジェスチャ）で操作指示を与えることができる。
【００２８】
また、請求項１２に係る発明の状況通信プログラムでは、請求項１１に記載の発明の効果に加えて、加速度センサの計測情報により状況通信装置が振られたと判断された回数、加速度センサの計測情報により状況通信装置が傾けられたと判断された回数、又は、衝撃センサの計測情報により状況通信装置に衝撃が加えられた回数を表示する回数表示手段に回数を表示させる表示制御ステップを実行させることができる。したがって、振ったり、傾けたり、衝撃を与えたりといった動作（ジェスチャ）を行った回数を操作者が認識できるので正確な動作（ジェスチャ）を行い、正確な指示を与えることができる。
【発明を実施するための最良の形態】
【００２９】
以下、本発明の実施の形態を図面を参照して説明する。図１は、本発明の状況通信装置１を用いたサービス提供システムの構成を示すシステム構成図である。サービス提供サーバ２は、インターネット４に接続可能である。また、状況通信装置１は携帯電話網またはＰＨＳ電話網等の移動通信網の基地局３に接続可能であり、この基地局３を介してインターネット４に接続可能である。また、状況通信装置１と状況通信装置１同士においても、近隣に存在する場合に通信が可能となっている。また、状況通信装置１は、パーソナルコンピュータ（以下、ＰＣと呼ぶ）５にケーブルを用いて接続可能であり、ＰＣ５からデータを取り込んだり、ＰＣ５へデータを送り込んだりすることができ、さらに、ＰＣ５もインターネット４に接続可能である。
【００３０】
なお、サービス提供サーバ２は、制御を司るＣＰＵ、ＲＡＭ、ＲＯＭ、ハードディスク装置等の種々の記憶手段、インターネット４へ接続をするための通信装置を備えた周知のサーバ端末であり、ＰＣ５は、制御を司るＣＰＵ、ＲＡＭ、ＲＯＭ、ハードディスク等の種々の記憶手段、インターネット４へ接続をするための通信装置、入力を行うためのキーボードやマウス、画面を表示するためのディスプレイ等を備えた周知のパーソナルコンピュータである。
【００３１】
次に、図２及び図３を参照して、状況通信装置１について説明する。図２は、状況通信装置１のイメージ図であり、図３は状況通信装置１の電気的構成を示すブロック図である。図２に示すように、状況通信装置１は球体であり、サイズは人の手のひらに納まるものであり、その内部には、図３に示すように、状況通信装置１の制御を司るＣＰＵ１０、ＲＯＭ２０、ＲＡＭ３０、時間を計測する計時装置４０、他の状況通信装置１と送受信するための送受信部５０、無線通信網の基地局３と通信するための通信部６０等が収納されており、バス８０を介して、ＲＯＭ２０、ＲＡＭ３０、計時装置４０、送受信部５０、通信部６０がＣＰＵ１０に接続している。なお、図示しないが状況通信装置１はバッテリーにより電源供給されている。
【００３２】
また、状況通信装置１の表面には、ＰＣ５と接続するためのＵＳＢポート７５及び各種モジュール（各種センサや各種アクチュエータ）を差し込むための拡張ポート９０が設けられている。図３に示す例では、拡張ポート９０には、曲げセンサ（歪みセンサ）１１，加速度センサ１２，温度センサ１３，心拍センサ１４，光センサ１５，感圧センサ１６，湿度センサ１７，発汗センサ１８，マイク１９，ＬＥＤ２１，フラッシュランプ２２，モーター２３，ヒーター２４，スピーカー２５，７セグメントＬＥＤ２６が接続されている。
【００３３】
図２における右下にＵＳＢポート７５が設けられており、図２における中央にフラッシュランプ２２、その四方にＬＥＤ２１１，２１２，２１３，２１４（纏めてＬＥＤ２１と呼ぶ）が設けられている。また、図２における左側にはマイク１９が設けられ、図２における左下にはスピーカー２５が設けられており、フラッシュランプ２２の図２における上方向には７セグメントＬＥＤ２６が設けられている。なお、拡張ポート９０に差し込まれたこれらのモジュールは、Ｉ／Ｏインタフェイス７０に接続し、バス８０を介してＣＰＵ１０に接続している。また、Ｉ／ＯインタフェイスにはＵＳＢポート７５が接続しており、このＵＳＢポート７５にＵＳＢケーブルを接続することにより、ＰＣ５と接続することができる。
【００３４】
なお、曲げセンサ１１は、歪ゲージを用いて状況通信装置１の表面の歪み具合を計測する。加速度センサ１２は、静電容量の変化、圧電セラミック等を利用する加速度センサであり、状況通信装置１の動き（状況通信装置１にかかった加速度とその方向）を計測する。温度センサ１３は、白金測温抵抗体、サーミスタ、熱電対などを用いている、所謂温度計であり、状況通信装置１の周囲の温度及び装置に触れている手のひらや指の温度を計測する。心拍センサ１４は所謂圧力センサであり、状況通信装置１の表面に設けられている。そして、血流の圧力を計測して触れている人の心拍（脈拍数）を計測する。光センサ１５は、フォトトランジスタやＣｄＳ等を利用した光の強さを計測するセンサであり、状況通信装置１の表面に設けられている。
【００３５】
感圧センサ１６は、所謂圧力センサであり、状況通信装置１の表面に設けられ、導電性ゴムに定抵抗を直列接続し、ある電圧をかけて導電性ゴムの分圧値を測定することにより状況通信装置１にかかった圧力を計測する。湿度センサ１７は、状況通信装置１の表面に設けられ、セラミックスや高分子を用いて状況通信装置１の周りの空気中の水分量を計測する。発汗センサ１８は、小型の湿度センサであり、状況通信装置１の表面に設けられ、触れているものの表面の汗の量を、水分の蒸発量を測定することにより計測する。尚、発汗センサ１８の単位はｍｇ／ｃｍ２／ｍｉｎであり、１分間に１ｃｍ２で測定される汗の量が計測される。マイク１９は音声等、状況通信装置１の周囲の音を入力する。そして、ＬＥＤ２１は種々の色、明るさで点灯する。フラッシュランプ２２は種々の強さで発光する。モーター２３は状況通信装置１を振動させる。ヒーター２４は状況通信装置１の表面を低温（利用者が暖かさを感じ、やけどをしない温度）で熱する。スピーカー２５は音声を出力する。７セグメントＬＥＤは１桁の数字を表示可能である。
【００３６】
なお、状況通信装置１には、パーソナルコンピュータのようなキーボードは設けられていない。そこで、状況通信装置１の各種センサ１１〜１９が検知した情報を所定の動作を指示する指示入力として予め登録しておき、利用者が状況通信装置１を握ってジェスチャ（所定回数振る、握る等）を行うことにより動作の指示を行っている。
【００３７】
ここで、本実施の形態のサービス提供システム及び状況通信装置１において行うことのできる処理やサービスについて簡単に説明する。
【００３８】
状況通信装置１は、各種センサ１１〜１９において状況通信装置１を使用している人物（使用者）の生体情報や状況通信装置１の状態の変化を計測する。そして、使用者の状況を示す指標情報が所定のルールに基づいて決定され、外部の装置（他の状況通信装置１またはサービス提供サーバ２）へ送信することができる。また、各種アクチュエータ２１〜２６は、他の状況通信装置１から受信した指標情報から所定のルールに基づいて決定された表現形態で制御し、使用者の状況を表現することができる。なお、所定のルールは、指標情報に対応して推論情報が決定される指標情報決定テーブル、及び、指標情報に対応して各種アクチュエータ２１〜２６の制御方法が決定される制御情報決定テーブルであり、予め状況通信装置１に記憶されている。
【００３９】
そこで、この状況通信装置１の機能を利用して、本実施の形態では、主に以下の２つのサービスについて説明する。１つには、状況通信装置１と状況通信装置１とが直接通信を行うものである（以下、推論サービスと呼ぶ）。一方の状況通信装置１（第１状況通信装置）が各種センサ１１〜１９により計測した計測値から指標情報を決定し、他方の状況通信装置１（第２状況通信装置）へ送信する。他方の状況通信装置１では、受信した指標情報から各種アクチュエータ２１〜２６の制御情報を決定し、各種アクチュエータ２１〜２６を制御して、第１状況通信装置の使用者の状況を第２状況通信装置の使用者に対して表現する（この処理を行うＣＰＵ１０が「状況表現制御手段」に相当する）。
【００４０】
２つには、状況通信装置１がサービス提供サーバ２とインターネット４を介して通信を行うものである（以下、コンテンツサービスと呼ぶ）。状況通信装置１は、各種センサ１１〜１９により計測した計測値をサービス提供サーバ２へ送信する。サービス提供サーバ２では、受信した計測値に基づいて指標情報を決定し状況通信装置１へ送信する（この処理を行うＣＰＵ１０が「状況表現制御手段」に相当する）。そして、状況通信装置１では受信した指標情報から制御情報を決定して、アクチュエータ２１〜２６を制御する。ここで提供されるサービス（コンテンツ）は種々のものがあり、そのコンテンツの種類により計測に使用されるセンサや結果を表現するアクチュエータの種類が異なる。また、サービス提供サーバ２と状況通信装置１との関係は「１：１」に限らず、「１：多」の構成で実施されるコンテンツもある。この場合には、サービス提供サーバ２では、複数の状況通信装置１から収集した計測値に基づいて、それらの集計結果や集計結果から導かれる情報から指標情報が決定され、各状況通信装置１へ送信される。なお、本コンテンツを利用する際には、事前に状況通信装置１へ指標情報から制御情報を決定するためのテーブルであるルールテーブルをダウンロードしておく必要がある。
【００４１】
また、サービスの提供を受けるためには、状況通信装置１においてどのコンテンツを実施するのかを指定し、状況通信装置１を手に握ればよい。状況通信装置１は、コンテンツが指定されると各種センサ１１〜１９により計測を行い、その計測値をコンテンツを指定するコードと共にサービス提供サーバ２へ送信する。そして、サービス提供サーバ２から情報が返却されたら、その情報から制御情報を決定して、各種アクチュエータ２１〜２６を制御して結果を表現する。
【００４２】
また、各種センサ１１〜１９や各種アクチュエータ２１〜２６は、状況通信装置１の拡張ポート９０に差し込まれており、取り外しや、追加、交換が可能である。なお、本実施の形態では、曲げセンサ１１，加速度センサ１２，温度センサ１３，心拍センサ１４，光センサ１５を必ず必要とする基本センサとし、ＬＥＤ２１，モーター２３，７セグメントＬＥＤ２６を必ず必要とする基本アクチュエータとして、感圧センサ１６，湿度センサ１７，発汗センサ１８，マイク１９をオプションセンサ、フラッシュランプ２２，ヒーター２４，スピーカー２５をオプションアクチュエータとする。したがって、オプションセンサやオプションアクチュエータは取り外すことが可能である。
【００４３】
また、本実施の形態では、「操作モード」，「推論モード＜感情＞」，「推論モード＜雰囲気＞」，「推論モード＜環境＞」，「推論モード＜伝言＞」，「コンテンツサービスモード」，「通信対象指定モード」の７つのモードを設ける。「操作モード」では、ＰＣ５から送信されたルールテーブルを受信して、ＲＡＭ３０に記憶したり、ＰＣ５からの要求に応じてルールテーブルを送信したり、他の状況通信装置１と通信してその状況通信装置１を通信相手として指定する際のジェスチャを登録したりする。
【００４４】
そして、「推論モード＜感情＞」，「推論モード＜雰囲気＞」，「推論モード＜環境＞」，「推論モード＜伝言＞」では、推論サービスが実施され、各種センサ１１〜１９の計測値から推論情報を決定し、「通信対象指定モード」で指定されている相手に推論情報を送信する。「コンテンツサービスモード」では、ジェスチャによりコンテンツが指定されると、サービス提供サーバ２と通信を行って種々のコンテンツを実施する。
【００４５】
そして、「通信対象指定モード」では、「推論モード＜感情＞」，「推論モード＜雰囲気＞」，「推論モード＜環境＞」，「推論モード＜伝言＞」で通信する相手をジェスチャにより指定する。なお、モードの切替は予め登録されているジェスチャを実施することにより行われ、さらに予め登録されているジェスチャを実施することによりＬＥＤ２１にモードを識別可能に表示する。尚、ＲＡＭ３０には、実施されているモードを記憶するためのモード記憶エリア（図示外）が設けられている。ここには、操作モードフラグ、推論モード＜感情＞フラグ、推論モード＜雰囲気＞フラグ、推論モード＜環境＞フラグ、推論モード＜伝言＞フラグ、コンテンツサービスモードフラグ、通信対象指定モードフラグの７つのフラグが設けられており、実施されているモードのフラグのみに「１」が記憶されて「ＯＮ」となり、その他のフラグには「０」が記憶されて「ＯＦＦ」となっている。
【００４６】
さらに、本発明の状況通信装置１では、「通信対象指定モード」への移行指示のジェスチャ（例えば、「振る」。加速度センサ１２で振動を検出。）が行われたか否かの判断が行われる際には、状況通信装置１が人により握られているか否かの判断も行われる。そして、人に握られている場合に移行指示のジェスチャが行われた場合にのみ「通信対象指定モード」へ移行される。また、「通信対象指定モード」に移行した場合において、通信対象となる状況通信装置１を指定するジェスチャ（例えば、「振る」回数により指定。加速度センサ１２で振動を検出した回数。）が行われたか否かの判断が行われる。
【００４７】
ここで、図４乃至図８を参照して、状況通信装置１の動作について説明する。図４は、通信対象となる状況通信装置１のＩＤコードとジェスチャ（振動の回数）を記憶した通信対象データベース３０１の模式図である。図５は、メイン処理のフローチャートであり、図６は、メイン処理の中で行われる通信対象指定モード判断処理のフローチャートであり、図７は、メイン処理の中で行われる通信対象指定処理のフローチャートであり、図８は、通信対象指定処理の中で行われる振るジェスチャの回数検出処理のフローチャートである。
【００４８】
まず、図４を参照して、通信対象データベース３０１の説明を行う。ここには、通信対象となる状況通信装置１のＩＤコードとジェスチャ（振動の回数）が対応して記憶されている。図４に示す例では、振動回数１回であれば、ＩＤコード「１」の状況通信装置１が通信相手として指定され、振動回数２回であれば、ＩＤコード「２」の状況通信装置１が通信相手として指定され、振動回数３回であれば、ＩＤコード「３」の状況通信装置１が通信相手として指定される。尚、その他の回数については省略されている。
【００４９】
次に、図５を参照して、メイン処理について説明する。このメイン処理は、状況通信装置１にバッテリーがセットされて、電源がオンされると開始され、状況通信装置１のＣＰＵ１０において継続的に実施されている。
【００５０】
まず、種々のデータやフラグ等の初期化が行われる（Ｓ１）。例えば、ＲＡＭ３０に設けられているモード記憶エリアが初期化（例えば、「操作モード」をデフォルトモードとして、操作モードフラグのみ「ＯＮ」、他のモードフラグは「ＯＦＦ」）されたり、推論モードで使用される利用者の各センサの計測値の基準値が算出されたり、ジェスチャ回数をカウントするためのカウント値がクリアされたりする。次いで、通信対象指定モード判断処理が行われる（Ｓ２、図６参照）。ここでは、通信対象指定モードへの移行を示すジェスチャが、人に握られている状態で行われたか否かの判断おこなわれ、行われていた場合には通信対象指定モードフラグに「１」が記憶されて「ＯＮ」とされ、他のモードフラグには「０」が記憶されて「ＯＦＦ」とされる。この通信対象指定モード判断処理については、図６を参照して、後に詳述する。
【００５１】
次いで、通信対象指定モードが「ＯＮ」であるか否かの判断が行われる（Ｓ３）。通信対象指定モードフラグが「ＯＮ」である場合には（Ｓ３：ＹＥＳ）、通信対象指定処理が行われる（Ｓ４、図７，８参照）。そして、Ｓ２へ戻る。尚、通信対象指定モードフラグが「ＯＦＦ」である場合には（Ｓ３：ＮＯ）、他のモードへの移行の判断や、他のモードでの処理、イベントチェックなどのその他の処理が行われ（Ｓ５）Ｓ２へ戻る。尚、通信対象指定処理については、図７及び図８を参照して、後に詳述する。
【００５２】
ここで、図６を参照して、通信対象指定モード判断処理について説明する。まず、感圧センサ１６により圧力が加えられたことが検出されたか否かの判断が行われる（Ｓ２１）。圧力が加えられていなければ（Ｓ２１：ＮＯ）、人に握られていないということになるので、通信対象指定モードフラグは「ＯＦＦ」され（Ｓ２６）、メイン処理へ戻る。尚、ここで、通信対象モードフラグが「ＯＮ」から「ＯＦＦ」に変更された場合には、デフォルトモードの操作モードとフラグが「ＯＮ」とされる。通信対象モードフラグが「ＯＮ」でなかった場合には、他のモードフラグが「ＯＮ」となっているので、デフォルトモードを「ＯＮ」とする必要はない。
【００５３】
感圧センサ１６により圧力が加えられていれば（Ｓ２１：ＹＥＳ）、光センサ１５で光が検出されたか否かの判断が行われる（Ｓ２２）。光が検出されていれば（Ｓ２２：ＹＥＳ）、人に握られていないということになるので、通信対象指定モードフラグは「ＯＦＦ」され（Ｓ２６）、メイン処理へ戻る。尚、ここでも、通信対象モードフラグが「ＯＮ」から「ＯＦＦ」に変更された場合には、デフォルトモードの操作モードとフラグが「ＯＮ」とされる。
【００５４】
光センサ１５により光が検出されていなければ（Ｓ２２：ＮＯ）、温度センサ１３で検出された温度が３０度〜３８度であるか否かの判断が行われる（Ｓ２３）。温度が３０度〜３８度でなければ（Ｓ２３：ＮＯ）、人の体温を検出できていないので、人に握られていないということになる。そこで、通信対象指定モードフラグは「ＯＦＦ」され（Ｓ２６）、メイン処理へ戻る。尚、ここでも、通信対象モードフラグが「ＯＮ」から「ＯＦＦ」に変更された場合には、デフォルトモードの操作モードとフラグが「ＯＮ」とされる。
【００５５】
温度センサ１３により検出された温度が３０度〜３８度であれば（Ｓ２３：ＹＥＳ）、人に握られていると判断されて、「通信対象指定モード」への移行のジェスチャ（１回振る）が行われたか否かの判断が行われる。具体的には、加速度センサ１２で振動を検出したか否かの判断が行われる（Ｓ２４）。そこで、加速度センサ１２で所定量（例えば、２Ｇ）以上の振動を検出していれば（Ｓ２４：ＹＥＳ）、通信対象指定モードフラグが「ＯＮ」とされて、他のモードフラグは「ＯＦＦ」とされる（Ｓ２５）。そして、メイン処理へ戻る。また、加速度センサ１２で振動が検出されなければ（Ｓ２４：ＮＯ）、通信対象指定モードフラグは「ＯＦＦ」され（Ｓ２６）、メイン処理へ戻る。尚、ここでも、通信対象モードフラグが「ＯＮ」から「ＯＦＦ」に変更された場合には、デフォルトモードの操作モードとフラグが「ＯＮ」とされる。
【００５６】
以上のようにして、人に握られていることが判断された場合にのみ、「通信対象指定モード」への移行のジェスチャ（１回振る）が行われたか否かの判断が行われて、ジェスチャが検出された場合にのみ「通信対象指定モード」へ移行される。
【００５７】
次に、図７及び図８を参照して、通信対象指定処理について説明する。まず、感圧センサ１６により圧力が加えられたことが検出されたか否かの判断が行われる（Ｓ４１）。圧力が加えられていなければ（Ｓ４１：ＮＯ）、人に握られていないということになるので、人に握られるのを待機してＳ４１へ戻る。
【００５８】
感圧センサ１６により圧力が加えられていれば（Ｓ４１：ＹＥＳ）、光センサ１５で光が検出されたか否かの判断が行われる（Ｓ４２）。光が検出されていれば（Ｓ４２：ＹＥＳ）、人に握られていないということになるので、人に握られるのを待機してＳ４１へ戻る。
【００５９】
光センサ１５により光が検出されていなければ（Ｓ４２：ＮＯ）、温度センサ１３で検出された温度が３０度〜３８度であるか否かの判断が行われる（Ｓ４３）。温度が３０度〜３８度でなければ（Ｓ４３：ＮＯ）、人の体温を検出できていないので、人に握られていないということになる。そこで、人に握られるのを待機してＳ４１へ戻る。
【００６０】
温度センサ１３により検出された温度が３０度〜３８度であれば（Ｓ４３：ＹＥＳ）、人に握られていると判断されて、振るジェスチャの回数検出処理が行われる（Ｓ４４、図８参照）。ここでは、図８に示すように、まず、振るジェスチャの回数検出処理の経過時間を計測するためのタイマの計測が開始される（Ｓ６１）。そして、振るジェスチャの回数検出処理が開始されてから所定時間Ｔ（例えば、５秒）が経過したか否かの判断が行われる（Ｓ６２）。時間Ｔが経過していなければ（Ｓ６２：ＮＯ）、振るジェスチャの検出が行われるので、Ｓ６３へ進む。
【００６１】
そして、加速度センサ１２により所定の大きさ（例えば２Ｇ）以上の振動が検出されれば（Ｓ６３：ＹＥＳ）、振られたものとして、カウント値に「１」がプラスされる（Ｓ６４）。そして、７セグメントＬＥＤ２６にカウント値の値が表示される（Ｓ６５）。そして、Ｓ６１へ戻る。また、所定の大きさ以上の振動が検出されなければ（Ｓ６３：ＮＯ）、そのままＳ６１へ戻る。
【００６２】
Ｓ６１〜Ｓ６５の処理が繰り返され、タイマが所定時間Ｔを経過したら（Ｓ６２：ＹＥＳ）、ジェスチャの回数はカウント値に記憶されている値に確定されて、通信対象指定処理へ戻る。
【００６３】
通信対象指定処理（図７参照）では、通信対象データベース３０１にカウント値に記憶されている値の回数を指定回数とするＩＤコードが登録されているか否かの検索が行われる（Ｓ４５）。ＩＤコードが登録されていない場合には（Ｓ４６：ＮＯ）、通信対象を指定することができないので、Ｓ４９へ進み、カウント値がリセットされて（Ｓ４９）、メイン処理へ戻る。また、ＩＤコードが登録されていれば（Ｓ４６：ＹＥＳ）、登録されているＩＤコードが通信対象に指定され（Ｓ４７）、指定されたＩＤコードの状況通信装置１との通信処理が開始される（Ｓ４８）。そして、カウント値がリセットされて（Ｓ４９）、メイン処理へ戻る。
【００６４】
以上のようにして、人に握られていることが判断された場合にのみ、通信対象を指定するジェスチャが行われたか否かの判断が行われて、ジェスチャが検出された場合にのみ通信対象が指定される。
【００６５】
尚、上記実施の形態の曲げセンサ（歪みセンサ）１１，加速度センサ１２，温度センサ１３，心拍センサ１４，光センサ１５，感圧センサ１６，湿度センサ１７，発汗センサ１８，マイク１９が「計測手段」に該当し、ＬＥＤ２１，フラッシュランプ２２，モーター２３，ヒーター２４，スピーカー２５、７セグメントＬＥＤ２６が「状況表現手段」に該当する。また、送受信部５０及び通信部６０が「送信手段」及び「受信手段」に相当する。また、図４に示す通信対象データベース３０１が「指示決定手順記憶手段」に該当する。
【００６６】
また、図６に示す通信対象指定モード判断処理のＳ２４、図７に示す通信対象指定処理のＳ４４〜Ｓ４６の処理を行うＣＰＵ１０が「指示判断手段」に相当し、図６に示す通信対象指定モード判断処理のＳ２５、図７に示す通信対象指定処理のＳ４７，Ｓ４８の処理を行うＣＰＵ１０が「動作制御手段」に相当し、図６に示す通信対象指定モード判断処理のＳ２１〜Ｓ２３、図７に示す通信対象指定処理のＳ４１〜Ｓ４３の処理を行うＣＰＵ１０が「握判断手段」に相当する。
【００６７】
尚、本発明の状況通信装置及び状況通信プログラムは、上記した実施の形態に限定されるものではなく、本発明の要旨を逸脱しない範囲内において種々変更を加え得ることは勿論である。上記実施の形態では、状況通信装置１は手のひらに納まるサイズの球体をしているが、状況通信装置１の形状はこのようなものに限らない。また、上記実施の形態では、「計測手段」として、曲げセンサ１１，加速度センサ１２，温度センサ１３，心拍センサ１４，光センサ１５，感圧センサ１６，湿度センサ１７，発汗センサ１８，マイク１９を使用しているが、「計測手段」の種類はこれらの限らず、衝撃センサ、体温センサ、体脂肪センサ、血圧センサ、皮膚のしみを計測するセンサ、大気中の酸素濃度を計測するセンサ、大気中の二酸化炭素濃度を計測するセンサ等、種々の計測手段を用いてもよい。また、「状況表現手段」として、ＬＥＤ２１，フラッシュランプ２２，モーター２３，ヒーター２４，スピーカー２５，７セグメントＬＥＤ２６を使用しているが、「状況提示手段」の種類はこれに限らず、液晶パネル等の小型画面等を用いてもよい。また、拡張ポートのポート数は上記実施形態での個数（１４個）に限らない。
【００６８】
尚、上記実施の形態では、加速度センサ１２を用いて、振るジェスチャの回数により通信対象となる状況通信装置１を指定しているが、通信対象となる状況通信装置１を指定するジェスチャはこれに限らない。例えば、衝撃センサを備え、状況通信装置１への衝撃を検知して、その回数により通信対象となる状況通信装置１の指定をしてもよい。操作者のジェスチャとしては、状況通信装置１を指でトントンと叩くなどが該当する。また、加速度センサ１２で状況通信装置１の傾きを検出し、所定量以上の傾きとなった回数で通信対象となる状況通信装置１の指定をしてもよい。操作者のジェスチャとしては、状況通信装置１を握り手首を捻って、状況通信装置１を傾けるようにするなどが該当する。
【００６９】
また、上記実施の形態では、７セグメントＬＥＤ２６に検出されたジェスチャの回数が表示されているが、ジェスチャの回数を表示する方法はこれに限らず、所定数（例えば１０個）のランプを設けて、ランプの点等数でジェスチャ回数を表示するようにしてもよい。また、液晶パネルを設けて表示してもよい。
【００７０】
また、上記実施の形態では、通信対象指定モードへの移行を支持するジェスチャ、通信対象を指定するジェスチャが行われたか否かの判断の前に、人により握られているか否かの判断を行っているが、人により握られているか否かの判断は他のジェスチャの判断の際に行ってもよいことは言うまでもない。例えば、他のモードへの移行や操作指示のジェスチャの判断の際に行ってもよい。また、Ｓ４１，Ｓ４２，Ｓ４３の何れかでＮＯの場合、再びＳ４１に戻るが、所定時間連続してＳ４１に戻る場合には、メイン処理に戻るようにしても良い。
【産業上の利用可能性】
【００７１】
本発明の状況通信装置及び状況通信プログラムは、キーボード、マウス、ボタン等の入力機器を有しない装置に利用可能である。
【図面の簡単な説明】
【００７２】
【図１】本発明の状況通信装置１を用いたサービス提供システムの構成を示すシステム構成図である。
【図２】状況通信装置１のイメージ図である。
【図３】状況通信装置１の電気的構成を示すブロック図である。
【図４】通信対象となる状況通信装置１のＩＤコードとジェスチャ（振動の回数）を記憶した通信対象データベース３０１の模式図である。
【図５】メイン処理のフローチャートである。
【図６】メイン処理の中で行われる通信対象指定モード判断処理のフローチャートである。
【図７】メイン処理の中で行われる通信対象指定処理のフローチャートである。
【図８】通信対象指定処理の中で行われる振るジェスチャの回数検出処理のフローチャートである。
【符号の説明】
【００７３】
１  状況通信装置
１０  ＣＰＵ
１１  曲げセンサ
１２  加速度センサ
１３  温度センサ
１４  心拍センサ
１５  光センサ
１６  感圧センサ
１７  湿度センサ
１８  発汗センサ
１９  マイク
２１  ＬＥＤ
２２  フラッシュランプ
２３  モーター
２４  ヒーター
２５  スピーカー
２６  ７セグメントＬＥＤ
３０  ＲＡＭ
【図１】
2006238237.tif 000003
【図２】
2006238237.tif 000004
【図３】
2006238237.tif 000005
【図４】
2006238237.tif 000006
【図５】
2006238237.tif 000007
【図６】
2006238237.tif 000008
【図７】
2006238237.tif 000009
【図８】
2006238237.tif 000010